(57)【要約】【課題】  多大なコストアップをすることなく、複数の排出ローラでの搬送精度向上を図り、シートの後端部における良好な記録画像を提供する。【解決手段】  記録ヘッド１１よりも搬送方向下流側においてシートＰを搬送する排出ローラを有し、該排出ローラ１６，１７を搬送方向に複数配置した排出ユニット７において、前記複数の排出ローラ１６，１７のうち、シート搬送方向最下流側の第二排出ローラ１７を、これよりも上流側の第一排出ローラ１６に比べて高精度に形成し、上流側の第一排出ローラ１６は、ローラ部も含めて一体成形の樹脂で構成し、ローラ部の拍車の対向部は拍車歯先と当接しないように逃がした構成としたことを特徴とする。【選択図】        図８
2006347117.tif 000002
【特許請求の範囲】
【請求項１】
記録手段よりも搬送方向下流側においてシートを搬送する搬送ローラを有し、該搬送ローラを搬送方向に複数配置し、該搬送ローラに記録シートを押圧するための拍車を有する記録装置において、
前記最上流側搬送ローラの記録シート当接部の記録シートに対する摩擦係数μ１と前記最下流側搬送ローラの記録シート当接部の記録シートに対する摩擦係数μ２はμ１＜μ２となるように構成し、且つ前記最上流側搬送ローラの記録シート当接部の拍車対向部は記録シートを搬送していないときに拍車の記録シート当接部とローラのシート当接部が接触しないようにシート当接部を逃がした形状に形成したことを特徴とする記録装置。
【請求項２】
前記最上流側搬送ローラの拍車逃げ形状部の幅は、拍車の記録シート当接部の幅に対して５〜３０倍としたことを特徴とする請求項１に記載の記録装置。
【請求項３】
前記最上流側の搬送ローラの少なくとも記録シート当接部を樹脂製としたことを特徴とする請求項１または２に記載の記録装置。
【請求項４】
前記最上流側の搬送ローラの少なくとも記録シート当接部を金属製としたことを特徴とする請求項１または２に記載の記録装置。
【請求項５】
前記シート搬送方向最下流側の搬送ローラのローラ部は、前記最上流側搬送ローラのローラ部と比較して高精度に形成したことを特徴とする請求項１〜３のいずれか１項に記載の記録装置。
【請求項６】
前記シート搬送方向最下流側の搬送ローラは、金属製のシャフトにゴム部材を用いたローラ部を圧入し、該ローラ部を研磨して形成したことを特徴とする請求項５に記載の記録装置。
【請求項７】
前記搬送ローラを２本有し、下流側の搬送ローラに対する拍車の押圧力は、上流側の搬送ローラに対する拍車押圧力の２倍以上であることを特徴とする請求項１〜６のいずれか１項に記載の記録装置。
【発明の詳細な説明】
【技術分野】
【０００１】
本発明は、記録手段よりも搬送方向下流側においてシートを搬送する搬送手段を複数有するシート搬送装置に係わる記録装置に関し、例えば、ファクシミリ、複写機、プリンタ等の記録装置において記録がなされた記録媒体を排出搬送する搬送装置に関するものである。
【背景技術】
【０００２】
従来、インクジェットプリンタ等の記録装置において、記録紙等のシートを搬送する一般的な搬送装置について図７を用いて簡単に説明する。
【０００３】
図７に示すように、シートは、主搬送ローラ１１３とピンチローラ１１８によって挟持搬送され、その下流に配置された記録ヘッド１１１により記録が行われる。そして、記録がなされたシートは、記録ヘッド１１１の下流に配置された第一排出ローラ１１６と拍車１１９、及び第二排出ローラ１１７と拍車１２０により排出される。ここでは、排出ローラを２本用いることにより、主搬送ローラ１１３とピンチローラ１１８のニップ部をシート後端が抜けた後のシートの姿勢安定を図っている。
【特許文献１】特開２００２−９６５１３号公報
【発明の開示】
【発明が解決しようとする課題】
【０００４】
従来、主搬送ローラでシートを搬送している領域と排出ローラのみでのシートを搬送している領域でシート搬送精度に差があったが、主にテキスト印字やグラフィック印字が出力画像の中心であり、その搬送精度の差は大きな問題ではなかった。
【０００５】
しかしながら、近年の記録装置の画質向上に伴い写真調の記録をシートの印字可能領域いっぱいに記録する傾向が強まり、排出ローラのみでのシート搬送精度を向上させ、主搬送ローラとのシート搬送精度の差を少なくすることが望まれてきた。
【０００６】
そのため、排出ローラのみでのシート搬送精度を主搬送ローラと同等程度に向上させるという手段が考えられるが、上述したような複数本の排出ローラが必要な従来構成においては、全ての排出ローラのシート搬送精度を向上させるためには多大なコストが必要となっていた。
【０００７】
そこで、本発明は、上記課題に鑑みてなされたものであり、その目的とするところは、多大なコストアップをすることなく、複数の排出ローラでの搬送精度向上を図り、シートの後端部における良好な記録画像を提供する記録装置を提供することにある。
【課題を解決するための手段】
【０００８】
上記目的を達成するための本発明の代表的な構成は、記録手段よりも搬送方向下流側においてシートを搬送する搬送手段を有し、該搬送手段を搬送方向に複数配置し、該搬送ローラに記録シートを押圧するための拍車を有する記録装置において、前記最上流側搬送ローラの記録シート当接部の記録シートに対する摩擦係数μ１と前記最下流側搬送ローラの記録シート当接部の記録シートに対する摩擦係数μ２はμ１＜μ２となるように構成し、且つ前記最上流側搬送ローラの記録シート当接部の拍車対向部は記録シートを搬送していないときに拍車の記録シート当接部とローラのシート当接部が接触しないようにシート当接部を逃がした形状とし、上流側の搬送回転体はコストの安い樹脂で形成したことを特徴とする。
【０００９】
前記搬送回転体は、回転中心となるシャフトと、該シャフトと一体に回転してシートを搬送するローラ部と、を有し、シート搬送方向最下流側の搬送回転体は金属製のシャフトにローラ部はゴム部材を用い、これよりも上流側の搬送回転体はシャフト及びローラ部を一体成形の樹脂としたことを特徴とする。
【００１０】
また、前記搬送ローラを２本有し、下流側の搬送ローラに対する拍車の押圧力は、上流側の搬送ローラに対する拍車押圧力の２倍以上であることを特徴とする。
【００１１】
上記構成によれば、精度が良い下流側の搬送ローラによる記録シート搬送力が支配的になるため、記録手段よりも搬送方向下流側において複数の搬送ローラのみでの記録シート搬送精度向上を図ることができ、例えば本装置を用いた記録装置にあってはシートの後端部における良好な記録画像を提供することが可能となる。この際に、複数の搬送手段のうちの搬送方向上流側の搬送手段には安価な材料及び製造方法を採用することができ、多大なコストアップを必要とせずに前述の効果が得られる。
【００１２】
更に、前記最上流側搬送ローラの記録シート当接部の拍車の歯の対向部は記録シートを搬送していないときに拍車の歯とローラのシート当接部が接触しないようにシート当接部を逃がした形状に形成し、且つ記録シートを搬送する際には逃がした形状部に記録シートが落込まずに記録シート高さを保持できる程度の逃がし量としたことにより、拍車歯先部が樹脂製のローラ部に当接して変形することが防止可能となり、且つ記録シートに多大な搬送力を与えなくともシート位置を正確に規定することが可能であり、信頼性が高く、記録部と記録シートの距離が正確に規定できるためシートの後端部における良好な記録画像を提供することが可能となる。
【００１３】
また、前記搬送ローラを２本有し、下流側の搬送ローラに対する拍車の押圧力は、上流側の搬送ロータに対する拍車押圧力の２倍以上とすることにより、より一層搬送手段のみでの搬送精度向上を図ることができ、同様にシートの後端部における良好な記録画像を提供することが可能となる。
【発明の効果】
【００１４】
本発明によれば、記録手段よりも搬送方向下流側においてシートを搬送する搬送手段を有し、該搬送手段を搬送方向に複数配置し、該搬送ローラに記録シートを押圧するための拍車を有する記録装置において、前記最上流側搬送ローラの記録シート当接部の記録シートに対する摩擦係数μ１と前記最下流側搬送ローラの記録シート当接部の記録シートに対する摩擦係数μ２はμ１＜μ２となるように構成し、且つ前記最上流側搬送ローラの記録シート当接部の拍車対向部は記録シートを搬送していないときに拍車の記録シート当接部とローラのシート当接部が接触しないようにシート当接部を逃がした形状とし、上流側の搬送回転体はコストの安い樹脂で形成したことにより、前記複数の搬送手段のみでの搬送精度向上を図ることができ、例えば本装置を用いた記録装置にあってはシートの後端部における良好な記録画像を提供することが可能となる。この際に、複数の搬送手段のうちの搬送方向上流側の搬送手段には安価な材料及び製造方法を採用することができ、多大なコストアップを必要とせずに前述の効果が得られる。
【００１５】
更に、前記搬送回転体は、回転中心となるシャフトと、該シャフトと一体に回転してシートを搬送するローラ部と、を有し、シート搬送方向最下流側の搬送回転体は金属製のシャフトにローラ部はゴム部材を用い、これよりも上流側の搬送回転体はシャフト及びローラ部を一体成形の樹脂としたことにより、より一層の搬送手段のみでの搬送精度向上を図ることができ、同様にシートの後端部における良好な記録画像を提供することが可能となる。
【００１６】
更に、前記シート搬送方向最上流側の搬送回転体は、拍車の対向部を逃がしたことにより、拍車先端部が樹脂製のローラ部に当接して変形することが防止可能となり、且つ記録シートに搬送力を与えない状態で位置を正確に規定することが可能であり、信頼性が高く、記録部と記録シートの距離が正確に規定できるためシートの後端部における良好な記録画像を提供することが可能となる。
【００１７】
また、前記搬送ローラを２本有し、下流側の搬送ローラに対する拍車の押圧力は、上流側の搬送ロータに対する拍車押圧力の２倍以上とすることにより、高精度な下流側排紙ローラによる搬送寄与率が高まるため、更に高い搬送精度が確保可能となる。
【発明を実施するための最良の形態】
【００１８】
以下、図面を参照して、本発明を適用したシート搬送装置の一態様について詳しく説明する。尚、以下の実施形態では、記録装置に用いられる、記録手段の搬送方向下流側において記録媒体を搬送する搬送装置を例示している。
【実施例】
【００１９】
〔第１実施形態〕
図１〜図５を参照して、第１実施形態に係るシート搬送装置を備えた記録装置について説明する。尚、図１は可動カバー部材が開いた状態の記録装置の斜視説明図、図２は可動カバー部材が閉じた状態の記録装置の斜視説明図、図３は装置内部の斜視説明図、図４は搬送ユニット及び排出ユニットの断面説明図、図５は搬送ユニット及び排出ユニットの上面説明図である。
【００２０】
ここでは、まず装置全体の構成について説明し、次に本発明を適用したシート搬送装置である排出ユニットの構成について説明する。
【００２１】
図１及び図２に示すように、記録装置本体はメインケース１及びボトムケース２に覆われている。これらケース１，２は記録装置のフレームの一部に固定されて固定カバー部材を構成しており、このケースによって後述する記録媒体搬送ユニットや回復ユニットを被覆している。
【００２２】
また、前記メインケース１の一部には開口部が形成されており、この開口部を被蓋するようにアクセスカバー３が取り付けられている。このアクセスカバー３はメインケース１に対して回動可能に取り付けられて可動カバー部材として構成されており、図１に示すように、アクセスカバー３を開くことによって後述するキャリッジユニットへのアクセスが可能となり、ヘッド交換やインクタンク交換を行うことが可能となる。
【００２３】
前記カバーの内部には、図３に示すように、記録装置本体が内蔵されている。図３において、４は装置のフレームをなすシャーシであり、これにメインケース１やボトムケース２が固定されている。
【００２４】
また、５は給送ユニットであり、記録前のシート（記録媒体）Ｐがここに載置され、記録開始信号によって図示しない給送ローラが回転してシートＰを１枚ずつ分離給送する。そして、給送されたシートは搬送ローラとピンチローラからなる搬送ユニット６、及び複数の排出ローラと拍車等の記録媒体接触面積が小さい回転体からなる排出ユニット７により記録領域を搬送されて排出される。
【００２５】
また、前記記録領域には記録手段としてのキャリッジユニット８が設けられており、搬送されるシートＰに対して所定の記録を行うようになっている。本実施形態にあってはシリアル型のインクジェット記録方式を用いており、キャリッジ８ａがガイド軸８ｂに沿って往復移動可能に取り付けられ、このキャリッジ８ａに記録ヘッド及びインクタンク８ｃが搭載されている。そして、キャリッジ８ａの移動に同期して記録ヘッドからインクを吐出することにより、記録領域へ搬送されたシートＰへインク像を記録する。尚、キャリッジ８ａの移動領域端部には記録ヘッドと対向するように回復ユニット９が設けられており、記録開始前に記録ヘッドからインクを吸引することによりインク吐出不良を生ずることなく記録を行う。
【００２６】
そして、記録後のシートは前記排出ユニット７で排出され、図２に示すように、排出ユニット７の下方にボトムケース２に対して着脱自在に装着された排出トレイ１０に順次排出積載される。
【００２７】
次に本発明を適用したシート搬送装置である排出ユニットの構成について図４及び図５を参照して説明する。尚、前述したように、図４は搬送ユニット及び排出ユニットの断面説明図、図５は上面説明図である。
【００２８】
図４、図５に示すように、搬送ユニット６は、シートＰを搬送する主搬送ローラ１３と、シートＰと記録ヘッド１１の離間距離を設定するプラテン１２を有する。そして、主搬送ローラ１３にはモータ１４からの駆動出力が伝達される。また、主搬送ローラ１３には、該主搬送ローラ１３及びシートＰの摩擦駆動力によって従動するピンチローラ１８が当接している。このピンチローラ１８は不図示のバネ部材により主搬送ローラ１３に向けて付勢されており、シートＰの搬送力を生み出すようになっている。尚、各ピンチローラ１８はそれぞれ５００［ｇｆ］（４９００［ｍＮ］）の押圧力が主搬送ローラ１３に対してかかるように設定されている。
【００２９】
また、排出ユニット７は、記録ヘッド１１の下流に設けられ、画像記録が終了したシートＰを排出すると共に画像記録中のシートＰの挙動安定を図るものである。この排出ユニット７は、主搬送ローラ１３と平行に配設された２本の搬送回転体である排出ローラ１６，１７、該ローラ１６，１７に対してそれぞれシートＰを押圧しつつ従動回転する複数の従動回転体である拍車１９，２０、及び排出されたシートＰをスタックする排出トレイ１０等を備えた搬送装置として構成されている。
【００３０】
排出ローラ１６，１７は、プラテン１２に取り付けられ、主搬送ローラ１３の一端に設けられた出力ギア１３ａから伝達ギア２１，２２を介して各排出ローラ１６，１７の一端に設けられたローラギア１６ｂ，１７ｂまで駆動が伝達されるようになっている。
【００３１】
一方、排出トレイ１０は、排出するシートＰを複数枚スタックできるように第二排出ローラ１７に対して下方に配置されている。
【００３２】
尚、前記主搬送ローラ１３、第一排出ローラ１６、第二排出ローラ１７は略同一高さである。
【００３３】
次に、上述のように構成された記録装置の画像記録動作について説明する。
【００３４】
給送ユニット５により分離・給送されたシートＰは、主搬送ローラ１３とピンチローラ１８により挟持搬送される。そして、シートＰがプラテン１２の画像を記録する所定の位置に到達すると、キャリッジユニット８が不図示のキャリッジモータによりシート搬送方向と直交する方向に往復移動し、不図示の電気基板からの信号により記録ヘッド１１がシートＰに向けてインクを吐出して画像を記録する。
【００３５】
ここで、シートＰは、記録ヘッド１１よりも下流側を第一排出ローラ１６と拍車１９、及び第二排出ローラ１７と拍車２０により挟持され、上流側を主搬送ローラ１３とピンチローラ１８により挟持されて搬送・記録が行われる。そして、シートＰの先端から所定範囲の記録後は、シートＰの後端が主搬送ローラ１３とピンチローラ１８のニップ部から抜ける。この後の搬送は、前記複数の排出ローラ対によってのみ行うことにより、シートＰの後端いっぱいまで記録ヘッド１１による記録が可能となる。
【００３６】
ここで、本実施形態においては、前記複数の排出ローラのうち、搬送方向最上流側の第一排出ローラ１６のローラ部の記録シートに対する摩擦係数μ１を、これよりも下流側の第二排出ローラ１７のローラ部の記録シートに対する摩擦係数μ２と比較して小さくなるように構成した。
【００３７】
更には、本実施形態においては、前記複数の排出ローラのうち、搬送方向最下流側の第二排出ローラ１７を、これよりも上流側の第一排出ローラ１６に比べて高精度に形成している。具体的には、図５に示すように、搬送方向最下流側の第二排出ローラ１７の構成として、シャフト１７ｃに金属（ＳＵＭ２２Ｄ＋ＫＮメッキ）を用い、シート搬送部であるローラ部１７ｄにゴム（ＥＰＤＭ：硬度７０°）を用いた。この第二排出ローラ１７は、シャフト１７ｃにローラ部１７ｄを圧入後に該ローラ部１７ｄを研磨することにより、ローラ部１７ｄの外径精度としてφ１５±０．０２［ｍｍ］、振れ精度として０．０５［ｍｍ］を実現している。この精度は剛性の高い金属シャフトを採用し、且つ、ローラ部を研磨することにより実現できるものである。
【００３８】
一方、上記第二排出ローラ１７よりも上流側の第一排出ローラ１６の構成としては、シャフト１６ｃに樹脂（ＡＢＳ）を用い、シート搬送部であるローラ部１６ｄも同様に樹脂（ＡＢＳ）を用い、一体成形で作製している。こちらの場合はローラ部１６ｄの外径精度はφ１５±０．２［ｍｍ］、振れ精度としては０．３［ｍｍ］となる。
【００３９】
記録シートに対する各ローラ部の摩擦係数はシート材質によっても異なるが、おおむね以下の範囲となる。
第一排出ローラ１６のローラ部の記録シートに対する摩擦係数μ１：０．１〜２．０
第二排出ローラ１７のローラ部の記録シートに対する摩擦係数μ１：１．２〜３．０
但し、一つの記録シートに対するμの関係としては常にμ１＜μ２が保たれている。
【００４０】
図８は第一排出ローラを正面から見た図である。各ローラ部の拍車の歯１９Ｂに対向する部分は図に示すように逃がした形状（１６Ｇ）にしたことにより、記録シートがない状態で拍車歯先がローラには当接しない。従って、ローラ部を硬い樹脂製としているが拍車歯先が傷つくことがない。１９Ｃは拍車を押圧するためのバネであり、記録シートがない状態では圧が発生していない。また、図９は記録シートＰの搬送状態を示す図である。シート搬送時にはローラ部１６Ｈ、１６Ｊ及び拍車歯先部１９Ｂで記録シートＰを挟持することにより、シートの上下方向位置を正確に規定している。従って、記録ヘッドの記録シートの距離が正確に規定されるために良好な印字が可能となる。この場合、図示するように拍車ばね１９Ｃは撓むことにより拍車に押圧力を付与している。
【００４１】
図１０は従来の第一排紙ローラであり、ローラ部はゴム製（エラストマ：硬度８０°）のために記録シートを搬送していない状態においても拍車歯先はローラに当接している。これを見ても明らかなように、本実施においては従来と比較して上流側排紙ローラの材質、形状を変えており、この結果排紙ローラによる記録シートの搬送精度の向上が図れた。
【００４２】
本実施例においては従来例と比較して第一排紙ローラ部のゴムを廃止しているため、性能アップと同時にコストダウンも図れている。
【００４３】
尚、本実施例における詳細な数値を以下に記載する。これらの数値は一代表例であり、何ら限定されるものではない。
拍車歯先幅１９Ａ：０．１ｍｍ
ローラ逃げ部幅：１．０ｍｍ
ローラ部幅１６Ｆ：６．０ｍｍ
ローラ逃げ部幅は、記録シートが落込まずに記録シート高さを保持できる程度の逃がし量であり、拍車歯先幅の５〜３０倍程度が望ましい。
【００４４】
このように第一排出ローラ１７のローラ部を記録シート搬送力の低い樹脂製としたことにより、精度の良い第二排紙ローラの寄与率が高くなり、記録シートの搬送精度の向上が図れる。同時に第一排出ローラ１６は安価な材料と製造方法により作成し、第二排出ローラ１７は精度を優先したものを採用することにより、シートＰの搬送精度とコストパフォーマンスのバランスの取れた紙送り構成を提供するとことができる。
【００４５】
上述のように、搬送方向最下流側の第二排出ローラ１７を、これよりも上流側の第一排出ローラ１６に比べて高精度に形成した構成とすることにより、シートＰの良好な搬送精度が確保できる原理について説明する。
【００４６】
シートＰは後端が主搬送ローラ１３を抜けた後は、前述したように２本の排出ローラ１６，１７により搬送され、記録を行う。この時のシートＰの状態は、図４に示すように第二排出ローラ１７よりも先の部分は該第二排出ローラ１７の下方に垂れ下がり、その後、排出トレイ１０に沿って移動する。この状態ではシートＰ後端には第二排出ローラ１７と拍車２０の接線Ｌを中心として浮き上がる方向に力が働いている。これはシートＰの自重とコシにより発生する力である。この力に対向してシートＰと記録ヘッド１１の離間距離を確保し、シートＰの搬送状態を良好に保つのは拍車１９の役割であるが、シートＰの浮き上がる力に対向する分、拍車１９の第一排出ローラ１６への押圧力は減少する。
【００４７】
一方、第二排出ローラ１７に対してはシートＰが自重により円周方向に巻き付くように接しているために、シートＰに対する第二排出ローラ１７の搬送力は非常に大きくなる。その結果、シートＰの搬送精度への影響は第二排出ローラ１７から受ける割合が非常に大きくなる。
【００４８】
このような現象によりシートＰに対する搬送力の大きい搬送方向最下流側の排出ローラを、これよりも上流側の排出ローラに比べて高精度化する構成は理にかなったものであると言える。尚、拍車１９，２０は各ローラ部１６ｄ，１７ｄに対向して配置されており、不図示のバネ部材によりそれぞれ１０［ｇｆ］（９８［ｍＮ］）という比較的小さな力でゴム部材（ローラ部）に対して押圧力がかかるように設定されている。これは記録済みのシートＰ表面を傷付けることを防止し、良好な画像状態を保つためである。
【００４９】
本実施例においては上流側排紙ローラを摩擦係数の低い樹脂で形成したため、よりいっそう精度の良い下流側排紙ローラの寄与率を高めることができ、記録シートを更に精度良く搬送することが可能となった。
【００５０】
実験値を参考までに記載する。第一排紙ローラ１６のローラ部にゴム（従来例）を使用した場合と、樹脂製とした場合（本実施例）では記録シートの搬送精度ばらつきに以下のような差が発生する。
ローラ部ゴム製の場合  記録シートＰを１ｍｍピッチで搬送したときの３σ：±３０［μｍ］
ローラ部樹脂製の場合  記録シートＰを１ｍｍピッチで搬送したときの３σ：±１０［μｍ］
※３σ：標準偏差σに３を掛けた値であり、製品量産時に９９．７３％の良品率（３σの数値以内）となることが予想できる。そのため、製品検討時に目安とする値である。
【００５１】
このように、第一排紙ローラ１６のローラ部を樹脂製とすることにより記録紙後端印字時の搬送精度が向上するために、高品位な記録が可能となる。
【００５２】
以上説明したように、本実施形態によれば、記録手段よりも搬送方向下流側においてシートを搬送する搬送手段を有し、該搬送手段を搬送方向に複数配置したシート搬送装置において、前記最上流側搬送ローラの記録シート当接部の記録シートに対する摩擦係数μ１と前記最下流側搬送ローラの記録シート当接部の記録シートに対する摩擦係数μ２はμ１＜μ２となるように構成し、且つ前記最上流側搬送ローラの記録シート当接部の拍車対向部は記録シートを搬送していないときに拍車の記録シート当接部とローラのシート当接部が接触しないようにシート当接部を逃がした形状とし、上流側の搬送回転体はコストの安い樹脂で形成したことにより、排出ローラのみでの搬送精度向上を図ることができ、シートの後端部における良好な記録画像を提供することが可能となる。この際に、上流側の排出ローラには安価な材料及び製造方法を採用することができ、多大なコストアップを必要とせずに前述の効果が得られる。
【００５３】
尚、本実施形態において記載した数値や材料等は一例としてあげたものであり、この数値や材料等に限定する必要はない。
【００５４】
また、排出ローラは２本に限定する必要はなく、それ以上の複数本の排出ローラを用いた場合でも同様の効果が得られる。
【００５５】
〔第２実施形態〕
前述した第１実施形態では、第一排出ローラ１６及び第二排出ローラ１７の各ローラ部１６ｄ，１７ｄに対する各拍車１９，２０の押圧力は１０［ｇｆ］（９８［ｍＮ］）に設定していたが、本実施形態では第二排出ローラ１７の各ローラ部１７ｄに対する各拍車２０の押圧力のみを各２０［ｇｆ］（１９６［ｍＮ］）に上げることによって、より一層の排出ローラのみでの搬送時におけるシートＰの搬送精度向上を図ることができる。
【００５６】
これは、第二排出ローラ１７の各ローラ部１７ｄに対する各拍車２０の押圧力を第一排出ローラ１６の各ローラ部１６ｄに対する各拍車１９の押圧力より高くすることにより、ローラ精度の良い第二排出ローラ１７の搬送時における寄与率を更に高めることになるからである。
【００５７】
この際には、図６に示すように、第二排出ローラ１７の各ローラ部１７ｄにそれぞれ２個ずつの拍車２０を設けることが望ましい。このように２個の拍車に対して２０［ｇｆ］（１９６［ｍＮ］）の力をかけるという構成をとることにより、第二排出ローラ１７の各ローラ部１７ｄに対する拍車２０からの押圧力は、前述した第１実施形態に比べ倍の２０［ｇｆ］（１９６［ｍＮ］）と大きくなるが、シートＰに対しては半分の１０［ｇｆ］（９８［ｍＮ］）の押圧力しかかからないため、記録済みのシートＰに多大な力をかけることが無く、表面を傷つけることを防止し、良好な記録結果を得ることができる。
【００５８】
以上説明したように、本実施形態によれば、シート搬送方向最下流側の第二排出ローラ１７に対する拍車２０の押圧力を、これよりも上流側の第一排出ローラ１６に対する拍車１９の押圧力に比べて高くしたことにより、より一層の排出ローラのみでの搬送精度向上を図ることができ、シートの後端部における良好な記録画像を提供することが可能となる。
【００５９】
尚、本実施形態において記載した数値や材料等は一例としてあげたものであり、この数値や材料等に限定する必要はない。
【００６０】
〔他の実施形態〕
前述した実施形態では、記録ヘッドの種類や数を具体的に例示して説明しなかったが、本発明は、１個の記録ヘッドを用いるインクジェット記録装置、異なる色のインクで記録する複数個の記録ヘッドを用いるカラー記録用のインクジェット記録装置、或いは同一色彩で濃度の異なるインクで記録する複数の記録ヘッドを用いる階調記録用のインクジェット記録装置など、記録ヘッドの種類や数に関係なく適用ができ、前述した作用効果を達成し得る。
【００６１】
更に記録手段（記録ヘッド）としては、記録ヘッドとインクタンクを一体化したカートリッジタイプのもの、或いは記録ヘッドとインクタンクを別体としこれらをインク供給チューブで接続する構成のものなど、記録手段及びインクタンクの構成がどのようなものであっても、同様に適用することができ、同様の効果を達成し得る。
【００６２】
尚、本発明をインクジェット記録装置に適用する場合には、例えば、ピエゾ素子等の電気機械変換体等を用いる記録手段を使用するものに適用できるが、中でも、熱エネルギーを利用してインクを吐出する方式の記録手段を使用するインクジェット記録装置において優れた効果をもたらすものである。かかる方式によれば、記録の高密度化、高精細化が達成できるからである。
【００６３】
更に、記録装置が記録できる記録媒体の最大幅に対応した長さを有するフルラインタイプの記録ヘッドに対しても、本発明は有効に適用できる。そのような記録ヘッドとしては、複数記録ヘッドの組合せによって、その長さを満たす構成や、一体的に形成された１個の記録ヘッドとしての構成のいずれでも良い。加えて、前述したシリアルタイプのものでも、装置本体に固定された記録ヘッド、或いは装置本体に装着されることで装置本体との電気的な接続や装置本体からのインクの供給が可能になる交換自在のチップタイプの記録ヘッド、或いは記録ヘッド自体に一体的にインクタンクが設けられたカートリッジタイプの記録ヘッドを用いた場合にも本発明は有効である。
【００６４】
また、前述したインクジェット記録装置の形態としては、コンピュータ等の情報処理機器の画像出力端末装置として用いられるものの他、キャリッジに記録ヘッド以外のスキャナ等を装着することが可能なインクジェット入出力装置、リーダ等と組み合わせた複写装置、更には送受信機能を有するファクシミリ装置の形態をとるもの等であっても良い。
【００６５】
また前述した実施形態では、記録方式としてインクジェット記録方式を例示したが、これに限定する必要はなく、他にも熱転写記録方式や感熱記録方式、更にはワイヤードット記録方式等のインパクト記録方式、或いはそれ以外の電子写真方式等の記録方式であっても適用し得る。
【図面の簡単な説明】
【００６６】
【図１】可動カバー部材が開いた状態の記録装置の斜視説明図
【図２】可動カバー部材が閉じた状態の記録装置の斜視説明図
【図３】装置内部の斜視説明図
【図４】第１実施形態に係る搬送ユニット及び排出ユニットの断面説明図
【図５】第１実施形態に係る搬送ユニット及び排出ユニットの上面説明図
【図６】第２実施形態に係る搬送ユニット及び排出ユニットの上面説明図
【図７】従来の搬送ユニット及び排出ユニットの断面説明図
【図８】第１実施形態に係る第一排紙ローラ部の正面説明図
【図９】第１実施形態に係る第一排紙ローラ部の正面説明図
【図１０】従来の排紙ローラ部の正面説明図
【符号の説明】
【００６７】
Ｌ      接線
Ｐ      シート
１      メインケース
２      ボトムケース
３      アクセスカバー
４      シャーシ
５      給送ユニット
６      搬送ユニット
７      排出ユニット
８      キャリッジユニット
８ａ    キャリッジ
８ｂ    ガイド軸
８ｃ    インクタンク
９      回復ユニット
１０    排出トレイ
１１    記録ヘッド
１２    プラテン
１３    主搬送ローラ
１３ａ  出力ギア
１４    モータ
１６，１７    排出ローラ
１６ｂ，１７ｂ    ローラギア
１６ｃ，１７ｃ    シャフト
１６ｄ，１７ｄ    ローラ部
１８      ピンチローラ
１９，２０    拍車
２１，２２    伝達ギア
【図１】
2006347117.tif 000003
【図２】
2006347117.tif 000004
【図３】
2006347117.tif 000005
【図４】
2006347117.tif 000006
【図５】
2006347117.tif 000007
【図６】
2006347117.tif 000008
【図７】
2006347117.tif 000009
【図８】
2006347117.tif 000010
【図９】
2006347117.tif 000011
【図１０】
2006347117.tif 000012